(57)【要約】 【課題】簡単な操作により画面を見やすくする。【解決手段】実施形態によれば、電子機器は、タッチスクリーンディスプレイを収容する第１筐体と、タッチパッドを収容し、前記タッチパッドを収容する筐体面に前記第１筐体を重ね合わせた状態で移動可能に連結する第２筐体と、前記第２筐体が前記タッチパッドを露出させる位置にある場合、前記タッチパッドに対する予め決められた入力操作を検出する検出手段と、前記入力操作が検出される場合、前記タッチスクリーンディスプレイに表示する画面の方向を変更する変更手段とを具備する。【選択図】図１
2014071833.tif 000002
【特許請求の範囲】
【請求項１】
タッチスクリーンディスプレイを収容する第１筐体と、
タッチパッドを収容し、前記タッチパッドを収容する筐体面に前記第１筐体を重ね合わせた状態で移動可能に連結する第２筐体と、
前記第１筐体が前記タッチパッドを露出させる位置にある場合、前記タッチパッドに対する予め決められた入力操作を検出する検出手段と、
前記入力操作が検出される場合、前記タッチスクリーンディスプレイに表示する画面の方向を変更する変更手段と
を具備する電子機器。
【請求項２】
前記変更手段は、前記入力操作に応じて、予め決められた方向に前記画面を変更する請求項１記載の電子機器。
【請求項３】
前記入力操作に応じて変更する前記画面の方向を、ユーザ操作に応じて設定する設定手段をさらに具備し、
前記変更手段は、前記設定手段により設定された方向に前記画面を変更する請求項２記載の電子機器。
【請求項４】
前記変更手段は、前記入力操作が検出される毎に、前記画面を第１の方向と第２の方向との間で交互に変更する請求項１記載の電子機器。
【請求項５】
前記検出手段は、前記タッチパッドに対して３箇所でタッチする入力操作を検出する請求項１記載の電子機器。
【請求項６】
前記検出手段は、前記第１筐体と前記第２筐体とが前記タッチパッドを露出させる位置にない場合、前記入力操作を無効にする請求項１記載の電子機器。
【請求項７】
タッチスクリーンディスプレイを収容する第１筐体と、
タッチパッドを収容し、前記タッチパッドを収容する筐体面に前記第１筐体を重ね合わせた状態で移動可能に連結する第２筐体とを有するコンピュータの表示変更方法であって、
前記第２筐体が前記タッチパッドを露出させる位置にある場合、前記タッチパッドに対する予め決められた入力操作を検出し、
前記入力操作が検出される場合、前記タッチスクリーンディスプレイに表示する画面の方向を変更する表示変更方法。
【請求項８】
タッチスクリーンディスプレイを収容する第１筐体と、
タッチパッドを収容し、前記タッチパッドを収容する筐体面に前記第１筐体を重ね合わせた状態で移動可能に連結する第２筐体とを有するコンピュータを、
前記第２筐体が前記タッチパッドを露出させる位置にある場合、前記タッチパッドに対する予め決められた入力操作を検出する検出手段と、
前記入力操作が検出される場合、前記タッチスクリーンディスプレイに表示する画面の方向を変更する変更手段として機能させるための表示変更プログラム。
【発明の詳細な説明】
【技術分野】
【０００１】
本発明の実施形態は、電子機器、表示変更方法、及び表示変更プログラムに関する。
【背景技術】
【０００２】
近年では、タブレット型コンピュータが普及し、様々な状況で利用されている。例えば、他者との打ち合わせにおいて、タブレット型コンピュータに各種の画像を表示させて、この画像を参照しながら説明する場合がある。
【０００３】
他者との打ち合わせにおいて、他者と対面する位置で着席している場合には、表示された画面を他者が見やすくなるように、タブレット型コンピュータを他者側に向けて載置したり、画面の向きを他者の着席位置に合わせて変更する入力操作をタブレットに対してすることが行われている。
【先行技術文献】
【特許文献】
【０００４】
【特許文献１】特開平０６−２５９１６６号公報
【発明の概要】
【発明が解決しようとする課題】
【０００５】
このように従来では、タブレット型コンピュータに表示された画面を見やすくするためには、コンピュータを載置する向きを変更したり、タブレットに対する画面を変更するための入力操作をする必要があった。
【０００６】
従って、他者に画面を見せる時と、自分が画面の内容を確認する時が交互に頻繁に発生する場合、その都度、コンピュータを載置する向きを変えるための作業が必要となったり、あるいはタブレットに対して入力操作をするために表示された画面を手により隠す状況が発生していた。
【０００７】
本発明が解決しようとする課題は、簡単な操作により画面を見やすくすることができる電子機器、表示変更方法、及び表示変更プログラムを提供することである。
【課題を解決するための手段】
【０００８】
実施形態によれば、電子機器は、タッチスクリーンディスプレイを収容する第１筐体と、タッチパッドを収容し、前記タッチパッドを収容する筐体面に前記第１筐体を重ね合わせた状態で移動可能に連結する第２筐体と、前記第２筐体が前記タッチパッドを露出させる位置にある場合、前記タッチパッドに対する予め決められた入力操作を検出する検出手段と、前記入力操作が検出される場合、前記タッチスクリーンディスプレイに表示する画面の方向を変更する変更手段とを具備する。
【図面の簡単な説明】
【０００９】
【図１】実施形態の実施形態における電子機器の外観を示す図。
【図２】実施形態の実施形態における電子機器の外観を示す図。
【図３】実施形態の実施形態における電子機器の外観を示す図。
【図４】実施形態におけるパーソナルコンピュータをタブレットモードからラップトップモードに変更する操作を示す図。
【図５】実施形態におけるパーソナルコンピュータのシステム構成を示す図。
【図６】実施形態におけるパーソナルコンピュータのプログラムの関係を示す図。
【図７】実施形態における設定データ３４ｆを設定するための設定画面の一例を示す図。
【図８】実施形態のフォトグラフィモード時のタッチパッドに対する入力操作に応じた表示制御について示すフローチャート。
【図９】実施形態の具他例を説明するための図。
【図１０】図９中のパーソナルコンピュータを示す図。
【図１１】実施形態の具他例を説明するための図。
【図１２】図１１中のパーソナルコンピュータを示す図。
【発明を実施するための形態】
【００１０】
以下、図面を参照して、実施形態について説明する。  
図１、図２、及び図３は、実施形態における電子機器の外観を示す図である。電子機器は、例えば、パーソナルコンピュータ１０として実現される。
【００１１】
実施形態におけるパーソナルコンピュータ１０は、図１、図２、及び図３に示すような３つの形態（モード）で使用することができる。図１は、実施形態におけるパーソナルコンピュータ１０のタブレットモードを示す平面図、図２は、実施形態におけるパーソナルコンピュータ１０のフォトグラフィモードを示す平面図、図３は、実施形態におけるパーソナルコンピュータ１０のラップトップモードを示す斜視図である。
【００１２】
パーソナルコンピュータ１０は、第１筐体１２と第２筐体１４とを有している。第１筐体１２と第２筐体１４は、薄い箱形の形状であり、それぞれ第１面（表面）と第１面と相対する第２面（裏面）とを有している。
【００１３】
第１筐体１２は、第１面の中央部にタッチスクリーンディスプレイ１６の表示入力面を露出するように収容する。また、第１筐体１２は、第１面の外周辺近傍にカメラ（Ｗｅｂカメラ）１８を設けている。タッチスクリーンディスプレイ１６は、例えばＬＣＤの表示面にタッチパネルが配置されることにより構成される（図５参照）。
【００１４】
第２筐体１４は、第１面にキーボード２０とタッチパッド２２を収容する。キーボード２０は、図３に示す通常の使用状態における、第２筐体１４の奥側に配置する。第１面のキーボード２０が配置されていない手前側の領域は、パームレストとして使用する。タッチパッド２２は、パームレスト内に配置する。なお、パームレストの一部は、第２筐体１４に収納された無線通信デバイスとの通信が可能なＮＦＣ（Near Field Communication)領域として使用する。また、タッチパッド２２は、手前側の一部範囲がタッチパッドコントロールボタンとして機能する。
【００１５】
第２筐体１４は、第１面（表面）に第２筐体１４を重ね合わせた状態で移動可能に連結する。図１に示すタブレットモードは、第１筐体１２の第２面と第２筐体１４の第１面のほぼ全面が相対するように重ね合わされている状態を示す。図２に示すフォトグラフィモードは、タブレットモードにある第１筐体１２が移動（スライド）されて、第１筐体１２がタッチパッド２２を露出させる位置にある状態を示す。図３に示すラップトップモードは、第１筐体１２が移動されて、第１筐体１２がタッチパッド２２とキーボード２０とを露出させる位置にあり、第１筐体１２の奥側が持ち上げられて、タッチスクリーンディスプレイ１６の表示入力面が前面を向く位置にある状態を示す。第１筐体１２と第２筐体１４とは、第１筐体１２が第２筐体１４の奥側まで移動された位置で、第１筐体１２の奥側を持ち上げられるようにするヒンジ機構（図示せず）により結合されている。ヒンジ機構は、第２筐体１４の第１面の奥側端部近傍と、第１筐体１２の第２面の手前側近傍とを連結する位置に設けられている。ヒンジ機構は、第２筐体１４に対して、第１筐体１２を第２筐体１４と重ね合わせた状態から所定範囲内で回動可能とする構造を有している。なお、パーソナルコンピュータ１０は、第１筐体１２と第２筐体１４とを、何れのモードにおいても電気的に接続するためのケーブルやコネクタ類が設けられている（図示せず）。
【００１６】
図４（Ａ）〜（Ｄ）は、実施形態におけるパーソナルコンピュータ１０をタブレットモードからラップトップモードに変更する操作を示す図である。  
図４（Ａ）は、タブレットモードにあるパーソナルコンピュータ１０を示す。タブレットモードにおいて、第２筐体１４の設置位置が移動しないように、左右の手を用いて第１筐体１２のみを奥方向にゆっくり押すことにより、第１筐体１２が図４（Ａ）に示す矢印方向に、第２筐体１４に沿って移動する。
【００１７】
第１筐体１２を移動させることにより、第２筐体１４のタッチパッド２２が露出されるとフォトグラフィモードに移行する。パーソナルコンピュータ１０は、タッチパッド２２が露出された位置、すなわち図２に示すフォトグラフィモードにおける位置において第１筐体１２を保持する保持機構を有している。保持機構により第１筐体１２が保持された状態は、状態検知センサにより検出される。
【００１８】
フォトグラフィモードにおいて、さらに第１筐体１２を奥方向にゆっくり押すことにより、第１筐体１２が保持機構から外れる。このため、図４（Ｂ）に示すように、第１筐体１２をさらに奥方向に移動させることができる。第１筐体１２は、第２筐体１４の奥側端部近傍と、第１筐体１２の手前側端部近傍とが重なった位置まで移動させることができる。第１筐体１２は、最も奥まで移動させることにより、ヒンジ機構によって回動可能となる。
【００１９】
図４（Ｃ）に示すように、第１筐体１２が第２筐体１４の奥側まで移動された位置で、第１筐体１２の奥側を持ち上げることにより、図４に示すように、ラップトップモードに移行する。ラップトップモードでは、第１筐体１２は、ヒンジ機構により、タッチスクリーンディスプレイ１６を前面に向けた状態で保持される。
【００２０】
タブレットモードは、多くの場合、タッチスクリーンディスプレイ１６に表示されたオブジェクト等を、直接、ユーザがタッチして操作するアプリケーション等を実行する場合に使用される。フォトグラフィモードは、タッチスクリーンディスプレイ１６に写真などの画面を表示して閲覧するアプリケーション等を実行する場合に使用される。フォトグラフィモードでは、タッチスクリーンディスプレイ１６に表示された画面を、タッチスクリーンディスプレイ１６に対するタッチ操作により手で隠すことがないように、タッチパッド２２への操作により表示を変更することができる。ラップトップモードは、一般的なパーソナルコンピュータとして使用するためのモードであり、キーボード２０やタッチパッド２２などを使用する各種アプリケーションを実行する場合に使用される。
【００２１】
図５は、実施形態におけるパーソナルコンピュータ１０のシステム構成を示す図である。  
パーソナルコンピュータ１０は、図５に示されるように、ＣＰＵ３０、システムコントローラ３２、主メモリ３４、ＢＩＯＳ−ＲＯＭ３６、ＳＳＤ（Solid State Drive）３８、グラフィクスコントローラ４０、サウンドコントローラ４２、無線通信デバイス４４、エンベデッドコントローラ（ＥＣ）４６、状態検知センサ４８、加速度センサ４９等を備える。
【００２２】
ＣＰＵ３０は、パーソナルコンピュータ１０に実装された各種モジュールの動作を制御するプロセッサである。ＣＰＵ３０は、不揮発性のストレージデバイスであるＳＳＤ３８から主メモリ３４にロードされる各種プログラムを実行する。プログラムには、オペレーティングシステム（ＯＳ）３４ａ、タッチパッドドライバ３４ｂ、ディスプレイドライバ３４ｃ、タッチパッドアプリケーション３４ｄ、画面方向変更アプリケーション３４ｅを含む。また、ＣＰＵ３０は、タッチパッドアプリケーション３４ｄ及び画面方向変更アプリケーション３４ｅの実行時には、主メモリ３４に記憶される設定データ３４ｆ（詳細については後述する）を参照する。各プログラムの関係については、図６を参照して説明する。
【００２３】
また、ＣＰＵ３０は、ＢＩＯＳ−ＲＯＭ３６に格納された基本入出力システム（ＢＩＯＳ）も実行する。ＢＩＯＳは、ハードウェア制御のためのプログラムである。
【００２４】
システムコントローラ３２は、ＣＰＵ３０と各種コンポーネントとの間を接続するデバイスである。システムコントローラ３２には、主メモリ３４をアクセス制御するメモリコントローラも内蔵されている。システムコントローラ３２には、カメラ１８、主メモリ３４の他に、ＢＩＯＳ−ＲＯＭ３６、ＳＳＤ３８、グラフィクスコントローラ４０、サウンドコントローラ４２、無線通信デバイス４４、エンベデッドコントローラ４６、状態検知センサ４８、加速度センサ４９等が接続される。
【００２５】
グラフィクスコントローラ４０は、パーソナルコンピュータ１０のディスプレイモニタとして使用されるＬＣＤ１６ａを制御する。グラフィクスコントローラ４０は、ＣＰＵ３０の制御のもとで、表示信号をＬＣＤ１６ａに送信する。ＬＣＤ１６ａは、表示信号に基づいて画面イメージを表示する。ＬＣＤ１６ａの表示面にはタッチパネル１６ｂが配置されている。タッチパネル１６ｂは、ＬＣＤ１６ａの画面上で入力を行うための例えば静電容量式のポインティングデバイスである。
【００２６】
サウンドコントローラ４２は、音声信号を処理するコントローラであり、スピーカ４２ａによる音声出力、マイク４２ｂからの音声入力を制御する。
【００２７】
無線通信デバイス４４は、無線ＬＡＮや３Ｇ移動通信などの無線通信、あるいはＮＦＣ（Near Field Communication)などの近接無線通信を実行するように構成されたデバイスである。
【００２８】
エンベデッドコントローラ４６は、電力管理のためのコントローラを含むワンチップマイクロコンピュータである。エンベデッドコントローラ４６は、ユーザによるパワーボタンの操作に応じてパーソナルコンピュータ１０を電源オンまたは電源オフする機能を有している。また、エンベデッドコントローラ４６は、キーボード２０とタッチパッド２２の入力を制御する。
【００２９】
状態検知センサ４８は、パーソナルコンピュータ１０のモードを検知するセンサである。状態検知センサ４８は、例えば第１筐体１２がフォトグラフィモードの位置（図２に示す位置）にあることを検知する。
【００３０】
加速度センサ４９は、パーソナルコンピュータ１０の動きを検出するセンサである。加速度センサ４９は、例えばユーザがタブレットモードにあるパーソナルコンピュータ１０を所持している時に、タッチスクリーンディスプレイ１６が横長向きの状態と縦長向きの状態の何れにあるかを検出する。加速度センサ４９により、タッチスクリーンディスプレイ１６の向きを検出することで、タッチスクリーンディスプレイ１６に表示する画面の向きを変更することができる。
【００３１】
次に、実施形態におけるパーソナルコンピュータ１０のプログラムの関係について、図６を参照しながら説明する。  
タッチパッドドライバ３４ｂは、タッチパッド２２の入力を制御するドライバである。タッチパッド２２は、マルチタッチ検出が可能な機能を有している。タッチパッドドライバ３４ｂは、タッチパッド２２に対する入力操作に応じたデータをＯＳ３４ａに通知する。例えば、タッチパッドドライバ３４ｂは、タッチパッド２２へのユーザによるタッチ位置が、１箇所、２箇所、あるいは３箇所（さらに、４箇所以上）である場合に、それぞれのタッチ位置を示すデータをＯＳ３４ａに通知する。
【００３２】
タッチパッドアプリケーション３４ｄは、ＯＳ３４ａを通じてタッチパッド２２からのデータを取得すると、このデータに応じた処理をＯＳ３４ａを通じて実行する。タッチパッドアプリケーション３４ｄは、アプリケーションを登録する登録機能を有しており、この登録機能を用いて画面方向変更アプリケーション３４ｅを登録することができる。
【００３３】
例えば、タッチパッドアプリケーション３４ｄは、タッチパッド２２に１箇所でタッチする入力操作を示すデータを入力する場合、タッチ位置の変更に応じて画面中に表示されるポインタ（カーソル）の表示位置を変更させる。また、タッチパッドアプリケーション３４ｄは、タッチパッド２２に２箇所でタッチする入力操作を示すデータを入力する場合、タッチ位置の変更に応じて画面をスクロールさせる。例えば、タッチパッド２２に２本の指先をタッチさせた状態で横方向に移動された場合、タッチパッドアプリケーション３４ｄは、画面を横方向にスクロールさせる。
【００３４】
また、タッチパッドアプリケーション３４ｄは、登録機能により画面方向変更アプリケーション３４ｅが予め登録されている場合、所定の入力操作に応じた処理を画面方向変更アプリケーション３４ｅに実行させることができる。例えば、タッチパッドアプリケーション３４ｄは、タッチパッド２２に３箇所でタッチする入力操作を示すデータを入力する場合、画面方向変更アプリケーション３４ｅ及びＯＳ３４ａを通じて画面の向きを変更させる。なお、タッチパッドアプリケーション３４ｄは、パーソナルコンピュータ１０がフォトグラフィモードにあり、かつ設定データ３４ｆに画面方向変更アプリケーション３４ｅによる画面の変更が有効であることが設定されている場合に、画面方向変更アプリケーション３４ｅにより画面変更を実行させる。なお、設定データ３４ｆについては後述する（図７参照）。
【００３５】
なお、ＯＳ３４ａは、状態検知センサ４８からの通知に応じて、パーソナルコンピュータ１０がフォトグラフィモードにあることを検知して、タッチパッドアプリケーション３４ｄに通知する。タッチパッドアプリケーション３４ｄは、フォトグラフィモードにおいて、タッチパッド２２に３箇所でタッチする入力操作があった場合に、画面方向変更アプリケーション３４ｅにより画面の方向を変更させる。
【００３６】
画面方向変更アプリケーション３４ｅは、タッチパッド２２に３箇所でタッチする入力操作がある場合に、タッチパッドアプリケーション３４ｄからの指示に応じて、ＬＣＤ１６ａに表示する画面の方向を変更する。画面方向変更アプリケーション３４ｅは、設定データ３４ｆを参照して、変更後の画面の方向を決定する。  
ディスプレイドライバ３４ｃは、ＯＳ３４ａからの通知に応じた画面をＬＣＤ１６ａにおいて表示させる。
【００３７】
図７は、実施形態における設定データ３４ｆを設定するための設定画面の一例を示す図である。  
コンピュータ１０は、画面方向変更アプリケーション３４ｅによる設定機能、あるいは設定専用のユーティリティプログラムによる設定機能が、ユーザの操作によって起動されると、図７に示す設定画面をタッチスクリーンディスプレイ１６（ＬＣＤ１６ａ）に表示する。
【００３８】
設定画面には、図７に示すように、画面方向変更４０について有効あるいは無効の何れかを選択するための選択ボタン４０ａ，４０ｂと、回転方向４２を選択するための選択ボタン４２ａ，４２ｂ，４２ｃが設けられている。選択ボタン４２ａ，４２ｂ，４２ｃは、画面方向変更について有効を示す選択ボタン４０ａが選択された場合に設定可能となる。例えば、選択ボタン４２ａを選択することにより、３箇所の入力操作に応じて元の画面の方向に対して１８０°変更（上下反転）することを設定できる。同様にして、選択ボタン４２ｂは、右９０°回転するように変更することを設定でき、選択ボタン４２ｃは、左９０°回転するように変更することを設定できる。
【００３９】
設定画面において設定された内容は、設定データ３４ｆとして記録され、タッチパッドアプリケーション３４ｄ及び画面方向変更アプリケーション３４ｅの実行時に参照される。
【００４０】
次に、実施形態のフォトグラフィモード時のタッチパッド２２に対する入力操作に応じた表示制御について、図８に示すフローチャートを参照しながら説明する。  
パーソナルコンピュータ１０は、図２に示すように、第１筐体１２がフォトグラフィモードの位置に移動されると、状態検知センサ４８により検知する。ＯＳ３４ａは、状態検知センサ４８による検知に応じて、タッチパッドアプリケーション３４ｄに通知する。これにより、タッチパッドアプリケーション３４ｄは、フォトグラフィモードに応じた処理を実行する。
【００４１】
フォトグラフィモードにおいて、ユーザによりタッチパッド２２に入力操作がされると、タッチパッドドライバ３４ｂは、タッチパッド２２へのタッチ入力を検出し（ステップＡ１、Ｙｅｓ）、ＯＳ３４ａを通じてタッチパッドアプリケーション３４ｄに通知する。
【００４２】
タッチパッドアプリケーション３４ｄは、タッチパッドドライバ３４ｂにより検出された入力操作が、タッチパッド２２に対して１箇所あるいは２箇所でタッチする入力操作である場合（ステップＡ２、Ｎｏ）、それぞれの入力操作に応じた処理を、ＯＳ３４ａを通じてディスプレイドライバ３４ｃに実行させる。
【００４３】
例えば、１箇所でタッチする入力操作であった場合、タッチスクリーンディスプレイ１６に表示されるポインタ（カーソル）の表示位置を、タッチ位置の移動に応じて変更させる。また、２箇所でタッチする入力操作であった場合、タッチ位置の移動に応じて画面をスクロールさせる。
【００４４】
一方、タッチパッドドライバ３４ｂは、タッチパッド２２の３箇所でタッチする入力操作を検出した場合（ステップＡ２、Ｙｅｓ）、ＯＳ３４ａを通じて、３箇所でタッチする入力操作があったことをタッチパッドアプリケーション３４ｄに通知する（ステップＡ３）。
【００４５】
タッチパッドアプリケーション３４ｄは、タッチパッドドライバ３４ｂからの通知に応じて、設定データ３４ｆにおいて画面方向変更が有効に設定されている場合、画面方向変更アプリケーション３４ｅに対して、３箇所でタッチする入力操作に応じた処理の実行を指示する（ステップＡ４）。
【００４６】
画面方向変更アプリケーション３４ｅは、タッチパッドアプリケーション３４ｄからの指示に応じて、設定データ３４ｆに設定された回転方向に応じた、画面の方向の変更を、ＯＳ３４ａを通じてディスプレイドライバ３４ｃに指示する（ステップＡ５）。
【００４７】
ディスプレイドライバ３４ｃは、画面方向変更アプリケーション３４ｅ（ＯＳ３４ａ）からの指示に応じて、ＬＣＤ１６ａに表示している画面の方向を変更する（ステップＡ６）。
【００４８】
ここで、図９に示す具体例を用いて説明する。  
図９は、ユーザＡとユーザＢとが対面するようにテーブルに着席し、テーブル上にパーソナルコンピュータ１０が載置されている状態を上方から見た図である。例えば、ユーザＡとユーザＢとが打ち合わせのためにパーソナルコンピュータ１０を利用している状況である。パーソナルコンピュータ１０は、フォトグラフィモードの状態となっている。また、パーソナルコンピュータ１０は、ユーザＡが主にパーソナルコンピュータ１０を操作することができるように、タッチパッド２２がユーザＡの側にあるように載置されている。通常、パーソナルコンピュータ１０は、タッチスクリーンディスプレイ１６（ＬＣＤ１６ａ）の画面の方向を０°（正方向）としており、ユーザＡにより操作しやすくしている。
【００４９】
ここで、ユーザＡは、タッチスクリーンディスプレイ１６の画面をユーザＢが見易くするため、図９に示すように、タッチパッド２２に対して３箇所にタッチする入力操作をする。
【００５０】
図１０（Ａ）（Ｂ）は、図９中のパーソナルコンピュータ１０を示す図である。例えば、図１０（Ａ）に示すように、タッチスクリーンディスプレイ１６に表示されていた画面は、タッチパッド２２に対するユーザＡの３本の指５０によるタッチ操作により、図１０（Ｂ）に示すように、表示の方向が変更される。図１０（Ｂ）に示す例では、設定データ３４ｆに回転方向が「１８０°」に設定されている場合の例を示している。
【００５１】
また、ユーザＡは、タッチスクリーンディスプレイ１６に表示された画面の向きを自分や見易くしたい場合には、図１１に示すように、タッチパッド２２に対して３箇所にタッチする入力操作をする。
【００５２】
図１２（Ａ）（Ｂ）は、図１１中のパーソナルコンピュータ１０を示す図である。例えば、図１２（Ａ）に示すように、タッチスクリーンディスプレイ１６に表示されていた画面は、タッチパッド２２に対するユーザＡの３本の指５０によるタッチ操作により、図１２（Ｂ）に示すように、ユーザＡが見易くなる正方向に表示の方向が変更される。
【００５３】
このようにして、ユーザＡは、タッチパッド２２に対して３箇所でタッチする操作をするだけで、タッチスクリーンディスプレイ１６に表示された画面の方向を、ユーザＢが画面を見易い方向あるいは自分が見易い方向に、簡単に変更にすることができる。
【００５４】
なお、図９及び図１１に示す例では、ユーザＡとユーザＢとが対面する位置に着席している場合を例にしているため、タッチスクリーンディスプレイ１６の画面の方向を、タッチパッド２２に対して３箇所でタッチする操作に応じて１８０°変更する例を示している。もし、ユーザＡとユーザＢとがテーブルの角部分を挟んで体の向きが９０°異なる位置で着席している場合には、設定機能により回転方向を「右９０°」あるいは「左９０°」に設定しておくことで、タッチパッド２２に対して３箇所でタッチする操作に応じて、画面の方向を「右９０°」あるいは「左９０°」に変更することができる。
【００５５】
また、設定機能により画面方向を「右９０°」あるいは「左９０°」に設定した場合、画面方向変更アプリケーション３４ｅは、タッチパッド２２に対して３箇所でタッチする入力操作がある毎に、変更後の画面の向きからさらに「右９０°」あるいは「左９０°」に画面の向きを変更することができる。
【００５６】
また、変更後の画面の向きからさらに「右９０°」あるいは「左９０°」に画面の向きを変更するのではなく、タッチパッド２２に対して３箇所でタッチする入力操作がある毎に、「右９０°」あるいは「左９０°」に変更した画面の方向と、０°（正方向）の方向との間で、交互に切り替えるようにしても良い（「１８０°」の設定の場合と同じ）。
【００５７】
また、前述した説明では、タッチパッド２２に対して３箇所のタッチ操作があった場合にタッチスクリーンディスプレイ１６の画面の向きを変更するようにしているが、３箇所のタッチ位置が移動される方向に応じて、変更する画面の方向を決定するようにしても良い。例えば、タッチパッド２２に対して３箇所でタッチされた後、タッチした状態のままで右方向にタッチ位置が移動された場合、画面方向変更アプリケーション３４ｅは、元の画面の方向（正方向）を「右９０°」回転するように画面の方向を変更する。
【００５８】
さらに、前述した説明では、画面の向きを９０°あるいは１８０°毎に変更する例を示しているが、任意の角度で回転するように画面の向きを変更しても良い。この場合、例えばタッチパッド２２に対して３箇所でタッチされた後、タッチした状態のままでタッチ位置が右方向あるいは左方向に移動された場合に、タッチ位置の移動距離に応じた回転角度で画面の方向を変更する。
【００５９】
さらに、前述した説明では、タッチスクリーンディスプレイ１６（ＬＣＤ１６ａ）に表示される画面全体の表示の方向を変更する例について説明しているが、画面に表示されている特定の表示領域、あるいは各種オブジェクト（アイコンやシンボルなど）を、前述した操作によって表示の方向を変更するようにしても良い。
【００６０】
なお、前述した説明では、タッチパッド２２に対して３箇所でタッチする操作を検出した場合に、タッチスクリーンディスプレイ１６に表示している画面の方向を変更（例えば１８０°変更）するとしているが、その他のタッチパッド２２に対する入力操作に応じて画面の方向を変更するようにしても良い。例えば、タッチパッド２２に対する所定の入力操作として、４箇所以上でタッチする操作や、１箇所あるいは複数箇所のタッチ位置が予め決められたパターンで変化する操作が検出された場合に、画面の方向を変更するようにしても良い。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６２】
また、前述した実施の形態において記載した処理は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。コンピュータは、記録媒体に記録されたプログラムを読み込み、または通信媒体を介してプログラムを受信し、このプログラムによって動作が制御されることにより、上述した処理を実行する。
【符号の説明】
【００６３】
１０…パーソナルコンピュータ、１６…タッチスクリーンディスプレイ、１６ａ…ＬＣＤ、１６ｂ…タッチパネル、２２…タッチパッド、３０…ＣＰＵ、３４ｂ…タッチパッドドライバ、３４ｃ…ディスプレイドライバ、３４ｄ…タッチパッドアプリケーション、３４ｅ…画面方向変更アプリケーション、３４ｆ…設定データ。
【図１】
2014071833.tif 000003
【図２】
2014071833.tif 000004
【図３】
2014071833.tif 000005
【図４】
2014071833.tif 000006
【図５】
2014071833.tif 000007
【図６】
2014071833.tif 000008
【図７】
2014071833.tif 000009
【図８】
2014071833.tif 000010
【図９】
2014071833.tif 000011
【図１０】
2014071833.tif 000012
【図１１】
2014071833.tif 000013
【図１２】
2014071833.tif 000014